(57)【要約】【課題】着脱作業が容易で、ステップが広く昇降に便利なステップ装置を提供することを課題とする。【構成】建設機械の上部旋回体に昇降して点検等をするためのステップ装置において、該上部旋回体のフレームに固設した取付用金具と、該取付用金具と着脱自在に係合し、かつ固定可能な取付部を有するステップとを具備し、前記取付用具金具と該取付部の係合部の双方が下方に向かって狭まるように構成したことを特徴とする。【選択図】　図１
2004142669.tif 000002
【特許請求の範囲】
【請求項１】
建設機械の上部旋回体に昇降して点検等をするためのステップ装置において、該上部旋回体のフレームに固設した取付用金具と、該取付用金具と着脱自在に係合し、かつ固定可能な取付部を有するステップとを具備し、前記取付用具金具と戸該取付部の係合部の双方が下方に向かって狭まるように構成したことを特徴とする建設機械のステップ装置。
【請求項２】
前記取付用金具は前記ステップの幅と略等しい間隔をおいて前記フレームに固設された左右の金具からなり、該金具は内側に向かって突起部を有するＬ字状金属片から構成されていることを特徴とする請求項１に記載の建設機械のステップ装置。
【請求項３】
前記取付部は前記ステップの上部裏側に固設されていることを特徴とする請求項１に記載の建設機械のステップ装置。
【請求項４】
前記取付用金具は前後に回動可能にする枢軸部と回動を固定する固定部を具備し、前記取付用金具を係合、固定する場合は回動を固定し、該取付用金具を取り外す場合は該固定部を開放して前記ステップの着脱を容易にしたことを特徴とする請求項１ないし請求項３の何れか１に記載の建設機械のステップ装置。
【請求項５】
前記取付用金具と前記取付部の係合は、傾斜角度を異ならせて２箇所で線接触させて取外しを容易にしたこと、あるいは硬度の金属材料を使用し、または異なる材料を使用して取外しを容易にしたことを特徴とする請求項１ないし請求項４の何れか１に記載の建設機械のステップ装置。
【発明の詳細な説明】
【０００１】
【発明の属する技術分野】
この発明は、建設機械の上部旋回体に昇降するためのステップ装置の技術分野に関するものである。
【０００２】
【従来技術】
油圧ショベル等の建設機械では下部走行体の上に上部旋回体が回転自在に載置されている。従って、上部旋回体上に設けられているキャブハウスに乗降する場合や、上部旋回体上に搭載されているエンジンや油圧機器等の点検のために上部旋回体に昇降するためにはステップ装置が必要となる。キャブハウスに乗降する場合は頻繁に利用するためにステップ装置は上部旋回体のフレームに固定して設けるのが便利である。しかし、点検のために上部旋回体に昇降する場合は、頻繁に利用するわけでもないし、また、昇降する場所も一箇所でなく複数箇所に設けるのが便利である。
【０００３】
従来から、ステップ装置に関するいろいろな工夫がなされ、提案されている。その中で、本願発明に最も類似していると思われる従来のステップ装置として公開特許公報、２００１−２３９８８７号に掲載されているステップ装置を図５に示し、以下このステップ装置５０について説明する。図５（Ａ）は平面図、図５（Ｂ）は正面図である。中央に突起部５６ａとその両側に取付片５６ｂを有するステップ５６が旋回体のサイドフレーム５１にボルト５９で固定されている。さらに、ボルト５９の頭５９ａを保護するためのブロック５５がサイドフレーム５１に溶接により固着されている。ブロック５５はボルト５９に近接した位置に設けられるとともにステップ取付溝５７を形成するために上部５５ａはサイドフレーム５１との間に取付片５６ｂの厚さに略等しい距離の隙間が形成されている。
【０００４】
以上に述べたように、ステップ５６はボルト５９によって着脱可能に上部旋回体のサイドフレーム５１に固定され、かつ、ステップ５６の取付片５６ｂはブロック５５によって形成された取付溝５７に間挿されている。また、同時にボルト５９の頭５９ａはブロック５５によって衝突等の際に保護される構成になっている。しかし、上記した従来のステップ５６は以下のような問題点がある。即ち、取外しが可能になっているとしても、取外したり、取付たりする作業は４本のボルト５９を取外したり、取付たりする煩雑な作業が必要である。また、作業中も含めて常時サイドフレーム５１に固定しておくことを予定しているために、衝突防止等の理由からステップの中央に突起部５６ａを大きく突出させることができないために足場が小さく、荷物（例えば、工具箱、冷却水を入れた容器等）を持って昇る際には転落等の危険があり問題であった。
【０００５】
【発明が解決しようとする課題】
以上に述べたように、従来のステップ装置は常時サイドフレームに取付ておくことを予定しており、従って、着脱には煩雑な作業を必要とし、しかもステップ部が十分な広さを持ったステップ装置を設けることが困難であった。
本発明は、上記事実に鑑みなされたものであり、着脱作業が容易で、ステップが広く昇降に便利なステップ装置を提供することを課題とする。
【０００６】
【課題を解決するための手段】
本発明は上記の課題を解決するための手段として以下の構成を採用している。即ち、
請求項１に記載の発明は、建設機械の上部旋回体に昇降して点検等をするためのステップ装置において、該上部旋回体のフレームに固設した取付用金具と、該取付用金具と着脱自在に係合し、かつ固定可能な取付部を有するステップとを具備し、前記取付用具金具と戸該取付部の係合部の双方が下方に向かって狭まるように構成したことを特徴とする。
【０００７】
また、請求項２に記載の発明は、請求項１に記載の発明において、前記取付用金具は前記ステップの幅と略等しい間隔をおいて前記フレームに固設された左右の金具からなり、該金具は内側に向かって突起部を有するＬ字状金属片から構成されていることを特徴とする。
【０００８】
請求項３に記載の発明は、請求項１に記載の発明において、前記取付部は前記ステップの上部裏側に固設されていることを特徴とする。
【０００９】
請求項４に記載の発明は、請求項１ないし請求項３の何れか１に記載において、前記取付用金具は前後に回動可能にする枢軸部と回動を固定する固定部を具備し、前記取付用金具を係合、固定する場合は回動を固定し、該取付用金具を取り外す場合は該固定部を開放して前記ステップの着脱を容易にしたことを特徴とする。
【００１０】
請求項５に記載の発明は、請求項１ないし請求項４の何れか１に記載の発明において、前記取付用金具と前記取付部の係合は、傾斜角度を異ならせて２箇所で線接触させて取外しを容易にしたこと、あるいは硬度の金属材料を使用し、または異なる材料を使用して取外しを容易にしたことを特徴とする。
【００１１】
【発明の実施の形態】
以下本発明の実施形態を図に基づいて説明する。図１は、本願発明の実施形態を示す斜視図で、図１（Ａ）はステップ本体を示し、図１（Ｂ）は取付用金具を示す。図１において、上部旋廻体のフレーム１０の表面に左右の一対からなる取付用金具１１が溶接により固着されている。取付用金具１１は断面がＬ字形状の部材１２，１３からなり、前面片１２ａ，１３ａは図示のように下方に向かってフレームとの距離が小さくなるように傾斜して設けられている。即ち、上端の距離ａは下端の距離ｂよりも大きくなっている（ａ＞ｂ）。
【００１２】
また、ステップ本体１５は足置き場１６とそれを支持する外枠１７と両側に設けられた取付部１８、１８から構成されている。取付部１８は前後方向の上端部の長さ「ｃ」および下端部の長さ「ｄ」は何れも取付用金具１１の距離「ａ」よりも小さく、かつ距離「ｂ」よりも大きい。従って、取付部１８は取付用金具１１の前面片１２ａ，１３ａによって形成されている隙間に挿入可能に構成されており、両者の傾斜は略一致しているために挿入することにより固定が可能になっている。しかし、取付部１８が固く固定されると取外しが困難になるために、両者の係合部分の傾斜に少し差を設けて２箇所で線接触するように構成する。あるいは固い材料を使用して相互が食い込まないようにして取外しを容易にしてもよい。
【００１３】
図２は取付部２１を折り曲げ加工をせずに１枚の金属片で構成した実施例である。この場合は上端部の長さ「ｅ」および下端部の長さ「ｆ」は前記の長さ「ｃ」、「ｄ」よりも短くなり、従って、前記の距離「ａ」、「ｂ」もそれに合わせて短くする。また、取付部２１の上下方向の勾配も小さくする。このために、上下方向の高さ「Ｌ」を低くするなどして取外しを容易にするようにしてもよい。その他の部分は前記した実施例と同様である。
【００１４】
図３は更に別の実施例である。この実施例では取付用金具３１、３２の上部をサイドフレーム１０から少し離した位置に前後方向に回動可能に設けて傾斜部の傾斜を変更可能にしている。すなわち、サイドフレーム１０の上側にブラケット３３を固設し、取付用金具３１の側面にピン３４を設けて前後方向に回動可能にしている。また、フレーム１０の下側にフック３６を固設すると共に、取付用金具３１の側面に回転可能に設けられたフック３７と係止させて取付用金具３１，３２の傾斜部の傾斜を固定できるように構成している。
【００１５】
上記した取付用金具３１、３２を利用した場合は、ステップ１７の装着及び取外しは以下のように行う。即ち、ステップ１７の取付部１８（または２１）を係合させてステップ１７を装着する場合は、フック３６とフック３７を係止させて固定し、ステップ１７の取付部１８を挿入して装着する。この場合は上記した実施例と同様に固定が可能である。また、ステップ１７を取外す場合はフック３６とフック３７の係止を解除すればステップ１７の取外しが容易になる。
【００１６】
図４は取付用金具を固定する場所の実施例を示す。即ち、サイドフレーム１０の複数箇所に溶接固定しておけば、使用に適した箇所を選んでステップ１７を装着することにより、作業が容易にかつ円滑に行われる。図４は油圧ショベル４０の側面図で、４１は下部走行体であり、この上に上部旋回体４２が旋回自在載置されている。この実施例では、上部旋回体４２のサイドフレーム１０の２箇所に取付用金具４３、４５を固定している。取付用金具４３はサイドフレーム１０の後方位置に固定し、取付用金具４５はサイドフレーム１０の前方に固定している。取付用金具４３はエンジン等（図示省略）の整備をする場合はここにステップ１７を装着し、作業を行う。また、取付用金具４３は作業機４６の油圧機器（図示省略）を整備する場合に使用する。なお、作業をしない場合は走行等に邪魔にならない場所にステップ１７を収納するか、邪魔にならない箇所に設けた取付用金具に装着しておく。
【００１７】
以上に説明したように、本実施形態によれば、ステップの装着、および取外しを容易にしたので、整備作業等に最も適した箇所にステップを装着することが可能となり、作業能率を向上させることができるという効果が得られる。さらに、ステップを走行等に邪魔にならない場所に収納または装着することができるために、ステップのサイズを大きくすることが可能で、転落等の事故を防ぎ、安全な作業が可能になるという効果が得られる。
【００１８】
以上に本発明の実施形態を図面に基づいて詳述してきたが、本発明の技術的範囲はこれに限られるものではなく、単なる設計変更等の技術変更があっても本発明の技術的範囲に含まれる。
【００１９】
【発明の効果】
本発明によれば、ステップの装着、および取外しを容易にしたので、整備作業等に最も適した箇所にステップを装着及び取外しをすることが可能となり、作業能率を向上させることができるという効果が得られる。
【図面の簡単な説明】
【図１】本発明を実施した実施形態の斜視図を示す。（Ａ）はステップの斜視図を示し、（Ｂ）は取付用金具の斜視図を示す。
【図２】ステップの別の実施例を示す。
【図３】取付用金具の別の実施例を示す。
【図４】取付用金具の取付箇所の実施例を示す。
【図５】従来のステップ装置の例を示す。
【符号の説明】
１０　　　　　サイドフレーム
１１（１２，１３）　　取付用金具
１５　　　　　　ステップ
１６　　　　　　足置き場
１７　　　　　　外枠
１８　　　　　　取付部
２１　　　　　　取付部
３３　　　　　　ブラケット
３６，３７　　　フック
【図１】
2004142669.tif 000003
【図２】
2004142669.tif 000004
【図３】
2004142669.tif 000005
【図４】
2004142669.tif 000006
【図５】
2004142669.tif 000007